(57)【特許請求の範囲】
【請求項１】
基地局間の干渉を検出するための方法であって、
第１の基地局が、運用保守センターから送信される指示コマンドを受信するステップであり、前記指示コマンドは指定フレームのフレーム番号を備える、受信ステップと、
前記第１の基地局が、前記指定フレームのアップリンク・サブフレームの信号を収集するステップであり、前記収集された信号は、指定フレームのダウンリンク・サブフレーム中のインデックス・シーケンスを収集することによって得られる信号を含む、収集ステップと、
前記第１の基地局が、前記収集された信号は第２の基地局のインデックス・シーケンスであることを決定するステップであり、前記第２の基地局の前記インデックス・シーケンスは相関計算の結果に基づいて複数の候補インデックス・シーケンスから選択され、前記複数の候補インデックス・シーケンスのそれぞれは、前記収集された信号との前記相関計算のために使用される、決定ステップとを含む方法。
【請求項２】
請求項１に記載の方法であって、前記第１の基地局が指示コマンドを受信した後、さらに、
第１の基地局が、前記第１の基地局のインデックス・シーケンスを前記ダウンリンク・サブフレームで送信するステップであり、前記ダウンリンク・サブフレームと前記アップリンク・サブフレームとの間の移行間隔は、通常フレームのダウンリンク・サブフレームと前記通常フレームのアップリンク・サブフレームとの間のガード・タイムスロットよりも小さい、送信ステップを含む方法。
【請求項３】
請求項２に記載の方法であって、
前記指定フレームの前記ダウンリンク・サブフレームが、単に前記第１の基地局の前記インデックス・サブフレームを送信するためだけに使用されるか、または、
前記指定フレームの前記ダウンリンク・サブフレームの後部が、前記第１の基地局の前記インデックス・サブフレームを送信するために使用される、方法。
【請求項４】
請求項２または３に記載の方法であって、前記移行間隔は２０μ秒である、方法。
【請求項５】
請求項１乃至４のいずれか一つに記載の方法であって、
前記第２の基地局の前記インデックス・シーケンスは、前記第２の基地局の識別情報によって一意的に識別される、方法。
【請求項６】
請求項５に記載の方法であって、前記第２の基地局の前記インデックス・シーケンスは、前記第２の基地局のプリアンブル信号である、方法。
【請求項７】
請求項１乃至６のいずれか一つに記載の方法であって、前記第１の基地局が、前記収集された信号が前記第２の基地局のインデックス・シーケンスであることを決定する前記決定ステップは、
前記第１の基地局が、前記第２の基地局の前記インデックス・シーケンスを前記複数の候補インデックス・シーケンスから選択すること、または、
前記第１の基地局が、前記収集した信号を前記運用保守センターに送信し、前記第１の基地局が、前記第２の基地局の前記インデックス・シーケンスを受信し、前記第２の基地局の前記インデックス・シーケンスは前記運用保守センターによって前記複数の候補インデックス・シーケンスから選択される、ことを含む、方法。
【請求項８】
請求項１乃至７のいずれか一つに記載の方法であって、前記第２の基地局の前記インデックス・シーケンスは、前記複数の候補インデックス・シーケンスから以下のやり方で選択され、前記やり方は、
前記収集された信号と前記複数の前記候補インデックス・シーケンスのそれぞれとの時間領域の相関を実行して相関値を取得するステップであり、前記相関値のそれぞれは、１つの候補インデックス・シーケンスおよび１つの時間遅延に対応している、取得ステップと、
予め設定された電力閾値、予め設定された電力差閾値、そして予め設定された時間遅延差閾値にしたがって前記相関値の検出を実行して、第１の候補インデックス・シーケンスと第１の時間遅延に対応するピーク点を得るステップと、そして、
受信した前記第１の候補インデックス・シーケンスの受信信号強度表示（RSSI）と、前記第１の時間遅延に従って、前記第２の基地局の前記インデックス・シーケンスを決定するステップとを含むやり方である、方法。
【請求項９】
請求項１乃至７のいずれか一つに記載の方法であって、前記第２の基地局の前記インデックス・シーケンスは、前記複数の候補インデックス・シーケンスから以下のやり方で選択され、前記やり方は、
前記収集された信号と、前記複数の前記候補インデックス・シーケンスのそれぞれとの時間領域の相関を実行して相関値を得る実行ステップであり、前記相関値のそれぞれは１つの候補シーケンス・インデックスと１つの時間遅延に対応する、実行ステップと、
前記予め設定された電力閾値より大きい相関値を選択するステップであり、前記相関値のそれぞれは、局所ピーク点に対応し、前記局所ピーク点の位置パラメータは、１つの候補インデックス・シーケンスと１つの時間遅延を含む、相関値選択ステップと、
前記局所ピーク点から最終ピーク点を選択するステップであり、除かれた局所ピーク点に対応する相関値と最大相関値との間の差は、前記予め設定された電力差閾値よりも大きく、または、前記除かれた局所ピーク点に対応する時間遅延と最大相関値に対応する時刻遅延との差は、前記予め設定された時間遅延差閾値よりも大きく、前記除かれた局所ピーク点は選択されなかった局所ピーク点である、最終ピーク点選択ステップと、
前記最終ピーク点における前記複数の前記候補インデックス・シーケンスのそれぞれのRSSIを計算するステップと、そして、
前記最終ピーク点における前記複数の前記候補インデックス・シーケンスから前記第２の基地局の前記インデックス・シーケンスを選択するステップであり、前記第２の基地局の前記インデックス・シーケンスに対応する第１の時間遅延は、予め設定された時間遅延閾値よりも大きく、そして、前記第２の基地局の前記インデックス・シーケンスの第１のRSSIは、予め設定されたRSSI閾値よりも大きい、インデックス・シーケンス選択ステップとを含むやり方である、方法。
【請求項１０】
請求項９に記載の方法であって、前記最終ピーク点を選択後、前記方法はさらに、
前記収集された信号、前記候補インデックス・シーケンス、および前記最終ピーク点の時間遅延位置にしたがって前記最終ピーク点のチャネル・フェージング推定値を決定するステップと、
前記チャネル・フェージング推定値に前記候補インデックス・シーケンスを掛けて再構成された信号を得るステップと、そして、
前記再構成された信号を前記収集された信号から引いて、新しい受信信号を取得するステップであり、前記新しい受信信号は、前記候補インデックス・シーケンスとの相関をとられ、前記候補インデックス・シーケンスから前記第２の基地局の前記インデックス・シーケンスを選択するために使用される、受信信号取得ステップとを含む方法。
【請求項１１】
請求項１乃至９のいずれか一つに記載の方法であって、前記収集された信号は、
前記第１の基地局の受信アンテナ上のワン−マルチプル・サンプリング・レートの離散ベースバンド信号、および、
高速の信号であって、前記高速の信号は、前記ワン−マルチプル・サンプリング・レートの離散ベースバンド信号に補間処理を実行することにより得られる高速の信号、のうちの１つである、方法。
【請求項１２】
請求項１乃至１１のいずれか一つに記載の方法であって、前記第２の基地局は、前記第１の基地局に干渉を与える干渉基地局である、方法。
【請求項１３】
基地局であって、前記基地局は、
運用保守センターによって送信される指示コマンドを受信する受信機であり、前記指示コマンドは指定フレームのフレーム番号を含む、受信機と、
前記指定フレームのアップリンク・サブフレーム中の信号を収集する信号収集装置であり、前記収集された信号は、前記指定フレームのダウンリンク・サブフレーム中のインデックス・シーケンスを収集することによって得られる信号を含む、信号収集装置と、を備え、
前記基地局はさらに、前記収集された信号は第２の基地局のインデックス・シーケンスであることを決定するように構成され、前記第２の基地局の前記インデックス・シーケンスは、相関計算の結果に基づいて複数の候補インデックス・シーケンスから選択され、前記複数の候補インデックス・シーケンスのそれぞれは、前記収集された信号との前記相関計算のために使用される、基地局。
【請求項１４】
請求項１３に記載の基地局であって、さらに、
前記受信機が指示コマンドを受信した後に前記ダウンリンク・サブフレーム中に、前記基地局のインデックス・シーケンスを送信する送信機を備え、前記ダウンリンク・サブフレームと、前記アップリンク・サブフレームの間の移行間隔は、通常フレームのダウンリンク・サブフレームと通常フレームのアップリンク・サブフレームとの間のガード・タイムスロットよりも小さい、基地局。
【請求項１５】
請求項１４に記載の基地局であって、前記指定フレームの前記ダウンリンク・サブフレームは、単に、前記第１の基地局の前記インデックス・シーケンスを送信するだけ、または、
前記指定フレームの前記ダウンリンク・サブフレームの前部が、前記第１の基地局の前記インデックス・シーケンスを送信するために使用される、基地局。
【請求項１６】
請求項１３乃至１５のいずれか一つに記載の基地局であって、さらに、プロセッサを含み、前記プロセッサは、
前記第２の基地局の前記インデックス・シーケンスを前記複数の候補インデックス・シーケンスから選択するか、または、
前記収集した信号を前記運用保守センターに送信し、前記第１の基地局が前記第２の基地局の前記インデックス・シーケンスを受信し、前記第２の基地局の前記インデックス・シーケンスは前記運用保守センターによって前記複数の候補インデックス・シーケンスから選択される、基地局。
【請求項１７】
請求項１３乃至１６のいずれか一つに記載の基地局であって、前記プロセッサは、前記第２の基地局の前記インデックス・シーケンスを前記複数の候補インデックス・シーケンスから以下のやり方で選択し、前記やり方は、
前記収集された信号と前記複数の前記候補インデックス・シーケンスのそれぞれとの時間領域の相関を実行して相関値を取得するステップであり、前記相関値のそれぞれは、１つの候補インデックス・シーケンスと１つの時間遅延に対応している、取得ステップと、
予め設定された電力閾値、予め設定された電力差閾値、そして予め設定された時間遅延差閾値にしたがって、前記相関値について検出を実行し、第１の候補インデックス・シーケンスおよび第１の時間遅延に対応するピーク点を得るステップと、そして、
受信した前記第１の候補インデックス・シーケンスの受信信号強度表示（RSSI）と前記第１の時間遅延にしたがって、前記第２の基地局の前記インデックス・シーケンスを決定するステップとを含むやり方である、基地局。
【請求項１８】
請求項１３乃至１６のいずれか一つに記載の基地局であって、前記プロセッサは、前記第２の基地局の前記インデックス・シーケンスを前記複数の候補インデックス・シーケンスから以下のやり方で選択し、前記やり方は、
前記収集された信号と前記複数の前記候補インデックス・シーケンスのそれぞれとの時間領域の相関を実行して相関値を取得するステップであり、前記相関値のそれぞれは、１つの候補インデックス・シーケンスと１つの時間遅延に対応している、取得ステップと、
前記予め設定された電力閾値よりも大きい相関値を選択するステップであり、前記相関値のそれぞれは、局所ピーク点に対応し、前記局所ピーク点の位置パラメータは、１つの候補インデックス・シーケンスと１つの時間遅延を含む、相関値選択ステップと、
前記局所ピーク点から最終ピーク点を選択するステップであり、除かれた局所ピーク点に対応する相関値と最大相関値との間の差は、前記予め設定された電力差閾値よりも大きく、または、除かれた局所ピーク点に対応する時間遅延と最大相関値に対応する時刻遅延との差は、前記予め設定された時間遅延差閾値よりも大きく、前記除かれた局所ピーク点は選択されなかった局所ピーク点である、最終ピーク点選択ステップと、
前記最終ピーク点における前記複数の前記候補インデックス・シーケンスのそれぞれのRSSIを計算するステップと、
前記第２の基地局の前記インデックス・シーケンスを、前記最終ピーク点における前記複数の前記候補インデックス・シーケンスから選択するステップであり、前記第２の基地局の前記インデックス・シーケンスに対応する第１の時間遅延は、予め設定された時間遅延閾値より大きく、そして、前記第２の基地局の前記インデックス・シーケンスの第１のRSSIは、予め設定されたRSSI閾値よりも大きい、インデックス・シーケンス選択ステップとを含むやり方である、基地局。
【請求項１９】
請求項１８に記載の基地局であって、前記プロセッサは、さらに、
前記収集された信号、前記候補インデックス・シーケンス、および前記最終ピーク点の時間遅延位置にしたがって、前記最終ピーク点のチャネル・フェージング推定値を決定し、
前記チャネル・フェージング推定値を前記候補インデックス・シーケンスに掛けることにより、再構成された信号を得、そして、
前記再構成された信号を前記収集された信号から引くことにより、新しい受信信号を得、前記新しい受信信号は、前記候補インデックス・シーケンスとの相関をとられ、前記候補インデックス・シーケンスから前記第２の基地局の前記インデックス・シーケンスを選択するために使用されるように構成されている、基地局。
【請求項２０】
請求項１３乃至１９のいずれか一項に記載の基地局であって、前記第２の基地局は、前記第１の基地局に干渉を与える干渉基地局である、基地局。
【請求項２１】
システムであって、請求項１３乃至２０のいずれか一つに記載の基地局を含むシステム。
【請求項２２】
請求項２１に記載のシステムであって、さらに、第２の基地局を備えるシステム。
【請求項２３】
機械読み取り可能な記録媒体であって、機械によって実行されるとき、前記機械に請求項１乃至１２のいずれか１つに記載の方法を実行させる媒体。
【発明の詳細な説明】
【技術分野】
【０００１】
本発明は、移動通信技術に関し、特に、基地局間の干渉の検出方法及び基地局に関する。
【背景技術】
【０００２】
時分割二重（Time  Division  Duplex,  TDD）システムにおけるアップリンクとダウンリンクの使用周波数帯は同じであり、複数の基地局のアップリンク信号とダウンリンク信号との間の相互干渉を防ぐために、TDDシステムの複数の基地局間で同期をとることが要求される。そして、ダウンリンクのサブフレームとアップリンクのサブフレームとの間にはガード・インターバルが確保されており、無線信号の伝搬遅延に起因する複数の基地局間の相互干渉を防ぐようになっている。マイクロ波アクセスのための全世界相互運用（Worldwide  Interoperability  for  Microwave  Access,  WiMAX）システムを例にとると、ダウンリンクのサブフレームとアップリンクのサブフレームとの間に、送信/受信移行ギャップ（Transmit/Receive  Transition  Gap,  TTG）が存在し、アップリンクのサブフレームとダウンリンクのサブフレームとの間に、受信/送信移行ギャップ（Receive/Transmit  Transition  Gap,  RTG）が存在する。TTGおよびRTGに対応する時間には、どの基地局も、いかなる無線信号も送受信しない。しかし、２つの基地局間の距離が比較的大きいときは、１つの基地局から送信されたダウンリンク信号が、伝搬遅延によって、他の基地局のアップリンクの受信タイムスロットの中に届いてしまい、そのため、この他の基地局の信号受信に影響を与えてしまう。さらに、基地局に対して時間基準を提供している全地球測位システム（Global  Positioning  System,  GPS）受信機の故障によってクロックがずれることもある。一度クロックのずれが生じると、他の基地局に対して干渉してしまうこともある。複数の基地局間の干渉を解決するために、第１の問題は、干渉源（interference  source）を見つけることであり、次に、干渉源の関連パラメータを調整して、複数の基地局間の相互干渉を減少または取り除くことである。
【発明の概要】
【発明が解決しようとする課題】
【０００３】
従来技術では、基地局が干渉を受けていると判断されたときには、疑わしい基地局を１つずつ閉じるという方法で干渉源を見つけることができる。しかし、基地局を１つずつ閉じるという方法は非効率的であり、長時間のサービス中断の原因になることもある。
【０００４】
本発明の実施例は、基地局間の干渉の検出方法及び基地局を提供し、検出効率及び性能を改善する。
【課題を解決するための手段】
【０００５】
本発明の１つの実施例は、基地局間の干渉を検出する方法を提供する。該方法は、被干渉基地局（干渉を受ける基地局）が、運用保守センターから送信される指示コマンドを受信し、指示コマンドは指定フレームのフレーム番号を備え、被干渉基地局が、指定フレームのアップリンク・サブフレームの信号を収集し、収集された信号は、干渉基地局（干渉を与える基地局）によって指定フレームのダウンリンク・サブフレームで送信されるインデックス・シーケンスを収集することによって得られる信号を含み、収集された信号は、予め設定された複数の候補インデックス・シーケンスのそれぞれとの相関の計算を実行して、候補インデックス・シーケンスから干渉基地局のインデックス・シーケンスを決定するために使用される、方法。
【０００６】
本発明の１つの実施例は、基地局を提供する。該基地局は、運用保守センターから送信され、指定フレームのフレーム番号が含まれる指示コマンドを受信するように構成された受信機と、指定フレームのアップリンク・サブフレームの中の信号を集め、集められた信号には、指定フレームのダウンリンク・サブフレームの中から、干渉基地局から送信されたインデックス・シーケンスを集めることによって得られる信号が含まれ、集められた信号は、複数の予め設定された候補インデックス・シーケンスのそれぞれとの相関の計算の実行に使用され、該候補インデックス・シーケンスから、干渉基地局のインデックス・シーケンスを決定するように構成された信号収集装置とを含む。
【０００７】
この技術的解決策からわかるように、本発明の実施例は、基地局を１つずつ手動で閉じる必要がなく、効率を向上させ、サービスの中断を防ぎ、性能を改善できる。
【図面の簡単な説明】
【０００８】
本発明の実施例による技術的解決策をより明確に示すために、実施例の説明に付随して用いられる図面について、簡単に説明する。一見してわかるように、以下の説明に付随して用いられる図面は、本発明のいくつかの実施例を示す図面に過ぎず、当業者は、創造的努力をすることなく、これらの付随する図面から別の図面を導き出すことができる。
【図１】本発明の実施例１による方法の概略フローチャート
【図２】本発明の実施例２による方法の概略フローチャート
【図３】本発明の一実施例によるフレーム構造の第１の概略構成図
【図４】本発明の一実施例によるフレーム構造の第２の概略構成図
【図５】本発明の実施例３による基地局の概略構成図
【発明を実施するための形態】
【０００９】
本発明の目的、技術的解決策、長所をより一層理解しやすくするために、本発明の実施例による技術的解決策が、付随する図面を参照しながら、明確に完全に以下の通り説明される。一見してわかるように、以下に説明する実施例は本発明の実施例のすべてではなく、単なる一部に過ぎない。当業者が、創造的努力を要することなく、本発明の実施例に基づいて得ることのできるすべての他の実施例は、本発明の保護範囲に入るべきである。
【００１０】
図１は、本発明の実施例１による方法の概略フローチャートであり、以下のものを含む。
【００１１】
ステップ１１：被干渉基地局は、運用保守センターから送信された指示コマンドを受信する。指示コマンドには、指定フレームのフレーム番号が含まれている。
【００１２】
インデックス・シーケンスの送信電力を増すために、本発明の実施例では、インデックス・シーケンスを送信するために指定フレームを使用する。実際の応用では、異なる瞬間、異なるフレームが、指定フレームとして使用できる。具体的には、運用保守センターは、基地局に、指定フレームを通知する指示コマンドを送信する。
【００１３】
ステップ１２：被干渉基地局は、指定フレームのアップリンク・サブフレームの中の信号を収集する。収集された信号には、指定フレームのダウンリンク・サブフレームの中の、干渉基地局によって送信されたインデックス・シーケンスを収集することによって得られる信号が含まれる。そして、収集された信号は、予め設定された複数の候補インデックス・シーケンスのそれぞれとの相関の計算の実行に使われ、干渉基地局のインデックス・シーケンスが、候補インデックス・シーケンスから決定される。
【００１４】
本発明の実施例では、被干渉基地局は、指定フレームのアップリンク・サブフレームの中の、干渉基地局から送信された信号を収集することができる。具体的には、その信号は、干渉基地局のインデックス・シーケンスであってもよい。その後、被干渉基地局は、収集された信号と候補インデックス・シーケンスに従って相関の計算を実行して、干渉基地局を決定することができる。
【００１５】
例えば、基地局において、複数の候補インデックス・シーケンスが予め設定され、当該複数の候補インデックス・シーケンスは、被干渉基地局に対して干渉の原因となり得る基地局のインデックス・シーケンスを含む。具体的には、候補インデックス・シーケンスは、基地局Aのインデックス・シーケンス、基地局Bのインデックス・シーケンス、基地局Cのインデックス・シーケンスを含んでもよい。基地局に干渉を与え得る基地局は、実際の状況に応じて決められてもよいことは理解できることである。例えば、基地局から一定の範囲に入っているすべての基地局を、基地局に干渉を与え得る基地局として設定してもよい。
【００１６】
干渉基地局がインデックス・シーケンスを送信した後、被干渉基地局は信号を収集することができる。しかし、被干渉基地局は、干渉基地局のインデックス・シーケンスを、収集した信号だけから決定することはできない。例えば、干渉基地局は基地局Aである。客観的には、被干渉基地局が受信する信号は、基地局Aによって送信された信号である。しかし、被干渉基地局は、収集した信号が基地局Aから送信された信号であると決定できるようにするためのなんらかの方法を採用する必要がある。本発明の実施例では、収集された信号がどの基地局に属するかを決定するために、候補インデックス・シーケンスに従って、相関を計算が利用される。例えば、収集された信号と、基地局Aのインデックス・シーケンス、基地局Bのインデックス・シーケンス、基地局Cのインデックス・シーケンスのそれぞれとについて相関の計算を実行した後、被干渉基地局は、基地局Aのインデックス・シーケンスによる相関の計算結果が最も大きいということを得る。その結果、収集した信号は基地局Aのインデックス・シーケンスであると決定し、干渉基地局は基地局Aであるということを得る。
【００１７】
インデックス・シーケンスは、基地局（被干渉基地局、または、干渉基地局）を一意的に識別するために使われる情報によって一意的に決められる。基地局を一意的に識別するために使われる情報は、基地局の識別子、または、基地局のセクター識別子であってもよい。
【００１８】
基地局の識別子、または、基地局のセクター識別子に従って、基地局は、対応するインデックス・シーケンスを一意的に決定することができ、そのインデックス・シーケンスを指定フレームで送信することができる。
【００１９】
さらに、干渉は一般的に相互的なので、被干渉基地局はまた、他の基地局にとっての干渉基地局である。したがって、本実施例はさらに、被干渉基地局によって、指示コマンドの受信後に、被干渉基地局のインデックス・シーケンスが、指定フレームのアップリンク・サブフレームの中に入れて送信されることを含む。このインデックス・シーケンスが送信されることにより、他の基地局を干渉基地局を他の基地局が決定できるようになる。指定フレームのダウンリンク・サブフレームからアップリンク・サブフレームへの移行時間は、通常のフレームにおける、ダウンリンク・サブフレームからアップリンク・サブフレームへのガード・タイムスロットより短くてもよい。例えば、移行時間は20μ秒でもよい。
【００２０】
この実施例では、基地局を手動で１つずつ閉じる必要はなく、効率を改善できる。この実施例では、インデックス・シーケンスが指定フレームで送信される。そして、インデックス・シーケンスは、データ信号と混ぜられていないので、インデックス・シーケンスの送信電力を増やすことができ、その結果、検出性能を改善できる。更に加えて、この実施例の切替時間は短い。従って、検出性能をさらに改善できる。
【００２１】
図２は、本発明の実施例２による方法の概略フローチャートであり、以下のものを含む。
【００２２】
ステップ２１：運用保守センターが指示コマンドを基地局に送信する。該指示コマンドには、指定フレームのフレーム番号が含まれる。
【００２３】
基地局は、被干渉基地局を含んでもよい。運用保守センターはさらに、被干渉基地局に隣接する基地局に指示コマンドを送信してもよい。隣接する基地局は干渉基地局であり得るので、運用保守センターは、隣接する基地局に指示を送信し、隣接する基地局にインデックス・シーケンスを送信させ、被干渉基地局が干渉基地局を決定することができるようにする。
【００２４】
被干渉基地局であると決定するためのいろいろな方法がある。例えば、もし、ノイズ検出によって得られた基地局のノイズ電圧が予め設定された値よりも高かったら、その基地局は被干渉基地局である、と決定することができる。
【００２５】
さらに、指定フレームは、干渉走査を必要とするフレームであってもよい。すなわち、そのフレームは、通常のフレームとは異なり、サービスデータを運ぶためのものではなく、干渉走査のために主に使われるものであってもよい。
【００２６】
ステップ２２：基地局は、指定フレームでインデックス・シーケンスを送信する。
【００２７】
具体的には、インデックス・シーケンスは、指定フレームのダウンリンク・サブフレームの中に入れられて送信されることができる。指定フレームは、本発明の実施例において定義されたフレームであるので、指定フレームのダウンリンク・サブフレームと、指定フレームのアップリンク・サブフレームとの間の時間間隔は設定することができる。その時間間隔は、必ずしも、既存のプロトコルにおいてTTG用に設定された値と等しい必要はない。本発明の実施例における時間間隔は、なるべく小さくすることができる。例えば、時間間隔は20μ秒とすることができる。
【００２８】
具体的には、図３は、本発明の一実施例によるフレーム構造の第１の概略構成図である。図３を参照すると、フレームN-1とフレームN+1は、両方とも通常のフレームである。そして、フレームNは、指定フレームである。TTGの値は、プロトコルによって規定された、ダウンリンク・サブフレームとアップリンク・サブフレームとの間の時間間隔の値である。そして、RTGの値は、プロトコルによって規定された、アップリンク・サブフレームとダウンリンク・サブフレームとの間の時間間隔の値である。GPは、本発明の実施例の指定フレームにおける、ダウンリンク・サブフレーム（I部分）とアップリンク・サブフレーム（検出部分）との間の時間間隔である。GPの値は、なるべく小さい値に設定することができる。例えば、GPの値は20μ秒とすることができる。この実施例では、指定フレームNのダウンリンク・サブフレームは、インデックス・シーケンスを送信するためだけに使われている。すなわち、指定フレームは、I部分と検出部分とを含み、I部分はダウンリンク・サブフレームであり、インデックス・シーケンスの送信に使用され、検出部分はアップリンク・サブフレームであり、信号を収集して、干渉基地局のインデックス・シーケンスを決定するために使用される。その後、収集された信号と候補インデックス・シーケンスに従って、干渉基地局を決定するために、相関の計算が実行されてもよい。干渉基地局を決定するための詳しい方法については、以下の説明が参照されてもよい。
【００２９】
図４は、本発明の一実施例によるフレーム構造の第２の概略構成図である。図３と異なり、指定フレームは、サービスデータを送信するためにも使用されることができる。すなわち、インデックス・シーケンスIは、指定フレームのダウンリンク・サブフレームの後部で送信される。そして、ダウンリンク・サブフレームの前部は、通常のフレームのダウンリンク・サブフレームで送信されるものと同様の信号、例えばサービスデータ、を送信するのに使用されることができる。この実施例では、インデックス・シーケンスIは、WiMAXシステムのダウンリンク・サブフレームの最後の１以上のシンボルを占めてもよい。
【００３０】
さらに、インデックス・シーケンスは、基地局を識別するために使用される情報によって一意的に決定される。基地局を識別するために使用される情報は、各基地局の識別子、または、基地局のセクター識別子であってもよい。理想的な状況では、基地局を識別するために、基地局に対応するインデックス・シーケンスは互いに異なっている。しかし、実際の応用では、もし、全ての基地局がそれぞれ１つのインデックス・シーケンスに対応するとしたら、多くのインデックス・シーケンスが必要となり得る。従って、多重化する方法を使用することができ、ある領域内の基地局は互いに異なるインデックス・シーケンスを使用し、その一方で、異なる領域内または互いに遠く離れた領域内の基地局では、同じインデックス・シーケンスを使用してもよい。例えば、領域A内の基地局は、領域B内の基地局から遠く離れている。従って、領域A内の基地局は互いに異なるインデックス・シーケンスを使用することができ、領域B内の基地局は互いに異なるインデックス・シーケンスを使用する。しかし、領域A内のある基地局は、領域B内のある基地局と同じインデックス・シーケンスを使用することができる。
【００３１】
インデックス・シーケンスは、時間領域の自己相関及び相互相関特性のすぐれた、短ｍシーケンス、GOLDシーケンス、Zadoff-Chuシーケンス等から選択されてもよい。
【００３２】
具体的には、インデックス・シーケンスは基地局のプリアンブル（Preamble）信号として選択されてもよい。プリアンブル信号はWiMAX  16e  プロトコルで明記されているように生成され、IDセルおよびセグメントIDによって一意的に決定される。IDセルの値の範囲は0から31まで、セグメントIDの値の範囲は0から2までである。プリアンブルをインデックス・シーケンスとして使用することの長所は、タイミング同期および端末測定への干渉走査フレームの影響が減少すること、スキームがシンプルに実現できること、干渉検出時間の範囲が広いこと、干渉がクロックのずれに起因する場合の干渉基地局の検出に、プリアンブルは適用できること、である。
【００３３】
ステップ２３：インデックス・シーケンスを送信した後、基地局は信号を収集する受信状態に切り換えられる。
【００３４】
指定フレームのダウンリンク・サブフレームでプリアンブル信号を送信した後、基地局は、時間間隔GP後に、送信状態から受信状態に切り換えられ、指定フレームのアップリンク・サブフレームの中の信号を収集できるようになる。もし、上述のGPが小さい値に設定されていれば、送信状態から受信状態へのすばやい切り換えが実現できる。
【００３５】
ステップ２４：基地局は、収集された信号と候補インデックス・シーケンスについての相関の計算を実行し、干渉基地局を決定する。
【００３６】
上述の隣接する基地局が当該基地局への干渉の原因であり得る。候補インデックス・シーケンスは予め設定されたインデックス・シーケンスであってもよい。候補インデックス・シーケンスは、当該基地局の干渉の原因となっている可能性のある基地局のインデックス・シーケンスを含んでいる。例えば、候補インデックス・シーケンスは、一定の範囲にある隣接する基地局のインデックス・シーケンスを含んでいる。
【００３７】
被干渉基地局は、指定フレームで収集された信号を保存する。収集された信号は、干渉基地局によって送信されたインデックス・シーケンスを収集することによって得られる信号である。その後、以下の式を使って、候補インデックス・シーケンスと各アンテナによって収集された信号の時間領域の相関の計算が実行され、時間領域の相関後の信号と各アンテナに対応する信号が混ぜ合わせられる。
【００３８】
【数１】
0005802331.tif 000002
nを時間のインデックス番号とし、Antをアンテナのインデックス番号としたとき、
（外１）
0005802331.tif 000003
は、時間のインデックスがｎの時にAnt番目のアンテナによって収集されるベースバンド信号を表す。このとき、ベースバンド信号の長さは、指定フレームのプリアンブル送信の終了から、次のフレームのプリアンブル送信の開始まで及ぶ。そして、GPとRTGの領域では、信号はゼロであり得る。Indは候補インデックス・シーケンスのインデックス番号であり、
（外２）
0005802331.tif 000004
はInd番目の候補インデックス・シーケンスの時間領域の信号を表す。Lは、候補インデックス・シーケンスの時間領域での長さを表す。Nは、受信アンテナの数を表す。iは、時間領域の断片のインデックス番号である。Iは、相関の計算における時間領域の断片の数を表す。上述の式において、各対応するiに対して、断片内のコヒーレントな蓄積（coherent  accumulation）から導かれる値が分子部分で得られ、上述の式の分母部分で割られて電力正規化後の値が得られ、iに対応する電力正規化後の値が蓄積され、断片間の非コヒーレントな蓄積（non-coherent  accumulation）から導出される値が得られる。そして、
（外３）
0005802331.tif 000005
は、Int番目の候補インデックス・シーケンスと収集された信号との相関値を表す。kは相関の計算における時間インデックス、または、言い換えれば、時間遅延値である。
【００３９】
（外４）
0005802331.tif 000006
を計算することにより、異なる時間遅延（異なるkに対応）における異なる候補インデックス・シーケンス（異なるIndに対応）の相関値を得ることができる。
【００４０】
その後、
（外５）
0005802331.tif 000007
に基づいて、局所ピーク点を決定することができる。局所ピーク点とは、その点での電力
（外６）
0005802331.tif 000008
が、予め設定された電力閾値よりも大きい点のことである。予め設定された閾値よりも大きい４つの相関値があったと仮定する。４つの相関値に対応する点P1、P2、P3およびP4は局所ピーク点である。４つの局所ピーク点の位置パラメータは、P1に対応する（Ind1,k1）、P2に対応する（Ind2,k2）、P3に対応する（Ind3,k3）、P4に対応する（Ind4,k4）である。位置パラメータのうちの１つ以上の項目が同じであってもよいことは理解できる。例えば、（Ind1,k1）がP1に対応し、（Ind1,k2）がP2に対応してもよい。
【００４１】
次に、局所ピーク点から最終ピーク点が得られる。具体的には、局所ピーク点の中から最大の相関値を持つ点が決定される。そして、最大の相関値を持つ点に比べて、電力の差が、予め設定された電力差閾値P_Thesholdよりも大きい局所ピーク点は除かれ、時間遅延の差が、予め設定された時間遅延差閾値T_Thresholdよりも大きい局所ピーク点は除かれる。例えば、上述の４つの局所ピーク点の中で、P1が最大で、P1とP2との間の電力差がP_Thesholdよりも大きいとすると、P2に対応する局所ピーク点が除かれる。k3とk1との間の遅延差がT_Thresholdよりも大きいとすると、P3に対応する局所ピーク点が除かれる。その後、P1とP4が最終ピーク点として使われる。
【００４２】
その次に、最終ピーク点における候補インデックス・シーケンスのそれぞれに対応するRSSIが計算される。
【００４３】
候補インデックス・シーケンスのRSSIは以下のような方法で推定することができる。例えば、Ind番目の候補インデックス・シーケンスのRSSIは、
【００４４】
【数２】
0005802331.tif 000009
であってもよい。
【００４５】
（外７）
0005802331.tif 000010
は、Ind番目の候補インデックス・シーケンスに対応するi番目のピーク点の位置である。
【００４６】
（外８）
0005802331.tif 000011
は、Ind番目の候補インデックス・シーケンスに対応するピーク点の数である。
【００４７】
その後、最終ピーク点の中で、時間遅延が予め設定された時間遅延閾値よりも大きく、RSSIが予め設定されたRSSI閾値よりも大きい候補インデックス・シーケンスに対応する基地局が、干渉基地局として決定される。例えば、上述の最終ピーク点はP1、P2に対応する点であり、そして、Ind1に対応するRSSI1、Ind2に対応するRSSI2が決定される。そして、k1は、TTGの長さよりも長く、RSSI1は、予め設定されたRSSI閾値を超えているものとすると、Ind1に対応する基地局が干渉基地局として決定される。
【００４８】
さらに、隣接する基地局によって送信される強い信号と、離れた基地局によって送信される弱い信号が共存するときの検出性能を改善するために、反復検出方法が使用されてもよい。インデックス・シーケンスは、時間遅延と、検出された最終ピーク点に対応する信号の振幅にしたがって再構成され、再構成された信号を
（外９）
0005802331.tif 000012
から引いて新たな
（外１０）
0005802331.tif 000013
を得、上述した検出ステップが繰り返される。
【００４９】
再構成の処理は以下の通りである。最終ピーク点のチャネル・フェージング推定値が収集された信号と候補インデックス・シーケンスおよび最終ピーク点の時間遅延位置にしたがって決定され、例えば、最終ピーク点の時間遅延位置上の収集された信号と候補インデックス・シーケンスとの相関結果が最終ピーク点のチャネル・フェージング推定値として使用される。そして、相関結果の計算式は以下の通りである。
【００５０】
【数３】
0005802331.tif 000014
【００５１】
チャネル・フェージング推定値に候補インデックス・シーケンスが掛けられて、再構成された信号となる。そして、収集された信号から再構成された信号が引かれる。
【００５２】
【数４】
0005802331.tif 000015
【００５３】
その後、局所ピーク点、最終ピーク点、RSSI等の上述した手順を再実行するために、
（外１１）
0005802331.tif 000016
が使われ、干渉基地局を決定する。
【００５４】
上述の検出中には、ワン−マルチプル・サンプリング・レート（one-multiple  sampling  rate）の離散ベースバンド信号が使われてもよい。そして、ピーク値の検出はまた、高速の信号（a  signal  having  a  high  velocity）を得るためにワン−マルチプル・サンプリング・レートの離散ベースバンド信号について補間処理が行われた後に行われて、時間遅延検出の精度と再構成中止の正確性（accuracy  of  reconstruction  cancellation）が向上するようにしてもよい。
【００５５】
さらに、この実施例では、被干渉基地局が、干渉基地局を決定する例が挙げられている。検出され、集められた信号を基地局が運用保守センターに送信し、運用保守センターが相関の計算を実行して干渉基地局を決定してもよい。
【００５６】
この実施例では、基地局を手動で１つずつ閉じる必要がなく、効率を改善することができる。この実施例では、インデックス・シーケンスが指定フレームで送信される。そして、インデックス・シーケンスは、データ信号と混合されないので、インデックス・シーケンスの送信電圧を上げることができる。それによって、検出性能が向上する。さらに、この実施例の切り換え時間が短いので、検出の性能をさらに向上することができる。
【００５７】
図５は、本発明の実施例３による基地局の概略構成図である。基地局は、受信機５１および信号収集装置５２を有する。受信機５１は、運用保守センターから送信された指示コマンドを受信するように構成されている。指示コマンドには、指定フレームのフレーム番号が含まれている。信号収集装置５２は、指定フレームのアップリンク・サブフレームの中の信号を収集するように構成されている。収集された信号には、干渉基地局によって、指定フレームのダウンリンク・サブフレームで送信されたインデックス・シーケンスを収集することによって得られた信号が含まれている。そして、収集された信号は、予め設定された複数のインデックス・シーケンスのそれぞれとの相関の計算を実行するために使用され、干渉基地局のインデックス・シーケンスが決定される。
【００５８】
さらに、この実施例では、受信機が指示コマンドを受信した後に、基地局のインデックス・シーケンスを指定フレームのダウンリンク・サブフレームで送信するように構成された送信機を備えてもよい。指定フレームのダウンリンク・サブフレームとアップリンク・サブフレームとの間の移行間隔は、通常のフレームのダウンリンク・サブフレームからアップリンク・サブフレームへのガード・タイムスロットよりも短くてもよい。
【００５９】
送信機は、具体的には、受信機が指示コマンドを受信した後に、指定フレームのダウンリンク・サブフレームで単にインデックス・シーケンスを送信するか、または、受信機が指示コマンドを受信した後に、指定フレームのダウンリンク・サブフレームの後部でインデックス・シーケンスを送信するように構成されてもよい。
【００６０】
基地局はさらにプロセッサを有してもよい。プロセッサは、収集された信号と候補インデックス・シーケンスのそれぞれとの間の時間領域の相関を実行して相関値を得、相関値のそれぞれは候補インデックス・シーケンスおよび時間遅延に対応しており、異なる候補インデックス・シーケンスと異なる時間遅延に対応する相関値の検出を実行して、予め設定された電力閾値、予め設定された電力差閾値、そして予め設定された時間遅延差閾値にしたがって、少なくとも１つのピーク点とそのピーク点に対応する候補インデックス・シーケンスと時間遅延を得、そして、ピーク点に対応する候補インデックス・シーケンスのRSSIと、ピーク点に対応する時間遅延とに従って、干渉基地局のインデックス・シーケンスを決定するように構成される。または、プロセッサは、収集した信号を運用保守センターに送信して、運用保守センターが、収集された信号と候補インデックス・シーケンスのそれぞれとの時間領域の相関を実行して相関値を得、相関値のそれぞれは候補インデックス・シーケンスおよび時間遅延に対応しており、異なる候補インデックス・シーケンスと異なる時間遅延に対応する相関値の検出を実行して、予め設定された電力閾値、予め設定された電力差閾値、そして予め設定された時間遅延差閾値にしたがって、少なくとも１つのピーク点とそのピーク点に対応する候補インデックス・シーケンスと時間遅延を得、そして、ピーク点に対応する候補インデックス・シーケンスのRSSIと、ピーク点に対応する時間遅延とに従って、干渉基地局のインデックス・シーケンスを決定することができるようにするように構成される。
【００６１】
プロセッサは、具体的には、収集された信号と候補インデックス・シーケンスとの時間領域の相関を実行して、ある候補インデックス・シーケンスのある時間遅延における相関値を得、予め設定された電力閾値よりも大きい相関値に対応する候補インデックス・シーケンスと時間遅延を局所ピーク点の位置パラメータとして使用し、局所ピーク点から一部の局所ピーク点を除いて最終ピーク点を得、除かれた局所ピーク点に対応する相関値と最大相関値との差は予め設定された電力差閾値よりも大きく、または、除かれた局所ピーク点に対応する時間遅延と最大相関値に対応する時間遅延との差は予め設定された時間遅延差閾値よりも大きく、最終ピーク点における候補インデックス・シーケンスに対応するRSSIを計算し、そして、その時間差は予め設定された時間遅延閾値よりも大きく、そのRSSIは最終ピーク点において、予め設定されたRSSI閾値より大きい候補インデックス・シーケンスを、干渉基地局のインデックス・シーケンスとして決定するように構成される。
【００６２】
プロセッサはさらに、収集された信号、候補インデックス・シーケンス、そして最終ピーク点の時間遅延位置にしたがって、最終ピーク点のチャネル・フェージング推定値を決定し、チャネル・フェージング推定値に候補インデックス・シーケンスを掛けて再構成された信号とし、そして、再構成された信号を収集された信号から引いて新しい受信信号を得、新しい受信信号と候補インデックス・シーケンスにしたがって相関の計算を実行して干渉基地局のインデックス・シーケンスを決定するように構成されてもよい。
【００６３】
さらに、この実施例の基地局は、被干渉基地局であってもよい。
【００６４】
この実施例では、基地局を１つずつ手動で閉じる必要がなく、効率を向上させることができる。この実施例では、インデックス・シーケンスは指定フレームで送信される。そして、インデックス・シーケンスはデータ信号と混ぜられないので、インデックス・シーケンスの送信電力を上げることができる。それによって、検出性能が改善される。さらに、この実施例における切り換え時間は短く、検出の性能をさらに上げることができる。
【００６５】
方法と装置における関連する特徴は、お互いに参考にしてもよいことは理解できる。さらに、先行する実施例における「第１の」および「第２の」という語は実施例を区別するために使用されたが、実施例の優劣を表すためのものではない。
【００６６】
当業者であれば、本発明の実施例による方法のステップのすべてまたは一部は、適切なハードウェアに指示を与えるプログラムによって実現されてもよい。プログラムは、コンピュータ読み取り可能な記憶媒体に格納されていてもよい。プログラムが実行されるとき、本発明の実施例にしたがった方法のステップが実行される。記憶媒体は、例えば、ROM、RAM、磁気ディスク、光ディスク、等の、プログラム・コードを格納できるいかなる媒体でもよい。
【００６７】
最後に、上記の実施例は、本発明の技術的解決策を説明するために提供されただけであり、本発明を限定することを意図するものではないということに注目すべきである。実施例を参照して本発明が詳しく説明されたが、変更や置換が、対応する技術的解決策の本質が本発明の思想や範囲から離れない限り、実施例において説明された技術的解決策に対する変更が可能であること、技術的解決策における技術的特徴に対する均等な置換が可能であることは、当業者には理解されるべきである。
【図１】
0005802331.tif 000017
【図２】
0005802331.tif 000018
【図３】
0005802331.tif 000019
【図４】
0005802331.tif 000020
【図５】
0005802331.tif 000021